(57)【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、から構成され、
前記第１レンズ群、前記第３レンズ群、および前記第５レンズ群を固定したまま、前記第２レンズ群を光軸に沿って物体側から像側へ移動させて広角端から望遠端への変倍を行い、前記第４レンズ群を光軸に沿って移動させることによって変倍に伴う像面変動の補正およびフォーカシングを行い、
前記第２レンズ群は、物体側より順に配置された、負の屈折力を有し物体側に凸面を向けたメニスカス形状で少なくとも一面に非球面が形成された第１レンズと、負の屈折力を有する第２レンズと、正の屈折力を有する第３レンズと、負の屈折力を有する第４レンズと、を備え、
前記第２レンズ群を構成する、前記第３レンズと前記第４レンズとが接合されており、  以下に示す条件式を満足することを特徴とするズームレンズ。
（１）  １．５＜｜ｆ２１／ＦＷ｜＜２．５
（２）  ０．５＜｜ｒｐ／ｆ２１｜＜０．８
（３）  νｄ２３＜２０
ただし、ｆ２１は前記第２レンズ群を構成する第１レンズの焦点距離、ＦＷは広角端における光学系全系の焦点距離、ｒｐは前記第２レンズ群を構成する第１レンズの像側面の曲率半径、νｄ２３は前記第２レンズ群を構成する第３レンズのｄ線に対するアッベ数を示す。
【請求項２】
前記第１レンズ群は、物体側より順に配置された、負の屈折力を有する第１レンズと、正の屈折力を有する第２レンズと、正の屈折力を有する第３レンズと、正の屈折力を有する第４レンズと、を備え、
前記第１レンズ群を構成する、前記第１レンズと前記第２レンズとは接合されており、  以下に示す条件式を満足することを特徴とする請求項１に記載のズームレンズ。
（４）  νｄ１２＞７５
（５）  νｄ１３＞６３
ただし、νｄ１２は前記第１レンズ群を構成する第２レンズのｄ線に対するアッベ数、νｄ１３は前記第１レンズ群を構成する第３レンズのｄ線に対するアッベ数を示す。
【請求項３】
前記第３レンズ群は、物体側より順に配置された、正の屈折力を有し少なくとも一面に非球面が形成された第１レンズと、負の屈折力を有し物体側に凸面を向けたメニスカス形状の第２レンズと、を備えていることを特徴とする請求項１または２に記載のズームレンズ。
【発明の詳細な説明】
【技術分野】
【０００１】
本発明は、デジタルスチルカメラやデジタルビデオカメラ等、固体撮像素子が搭載された撮像装置に好適なズームレンズに関する。
【背景技術】
【０００２】
ＣＣＤやＣＭＯＳ等の固体撮像素子が搭載されたデジタルスチルカメラやデジタルビデオカメラに用いられる撮像レンズとして、４つのレンズ群で構成され、高変倍が可能なズームレンズがよく知られている（たとえば、特許文献１を参照。）。
【０００３】
特許文献１に記載のズームレンズは、物体側から順に、正、負、正、正の屈折力を有する第１〜第４の各レンズ群が配置されて構成されている。このズームレンズは、第１レンズ群と第３レンズ群を固定し、第２レンズ群を一方向に移動させて変倍を行い、また第４レンズ群を前後方向に移動させることによって変倍に伴う像面変動の補正やフォーカシングを行う。このズームレンズの変倍比は２５倍程度、最大画角は５８°程度である。このような４群構成のズームレンズでも、可動群が２つあるため鏡筒の構成を簡略化でき、レンズ系全体を小型化することが可能である。
【０００４】
さらに、上記４群構成のズームレンズに対して、固定群である第５群を追加したズームレンズも知られている（たとえば、特許文献２〜４を参照。）。特許文献２〜４に記載のズームレンズは、いずれも、物体側から順に、正、負、正、正、負の屈折力を有する第１〜第５の各レンズ群が配置されて構成されている。これらのズームレンズは、第１レンズ群、第３レンズ群、および第５レンズ群を固定し、第２レンズ群を一方向に移動させて変倍を行い、また第４レンズ群を前後方向に移動させることによって変倍に伴う像面変動の補正やフォーカシングを行う。
【０００５】
なお、特許文献２に記載のズームレンズの変倍比は３０倍程度、最大画角は６０°程度である。特許文献３に記載のズームレンズの変倍比は３５倍程度、最大画角は７３°程度である。特許文献４に記載のズームレンズの変倍比は１４倍程度、最大画角は７０°程度である。
【先行技術文献】
【特許文献】
【０００６】
【特許文献１】特許第４６７２８６０号公報
【特許文献２】特許第４５４２９３３号公報
【特許文献３】特許第４８２３６８０号公報
【特許文献４】特許第４８２３６８４号公報
【発明の概要】
【発明が解決しようとする課題】
【０００７】
ところで、監視カメラ用のレンズ系として、全変倍域に亘って諸収差を良好に補正できることに加え、薄暗い場所をより広い範囲まで撮影可能な広角大口径比化が要求されてきた。さらに、近年、フルハイビジョン方式の撮影が可能な固体撮像素子が普及したことに伴い、フルハイビジョン方式の撮影が可能な固体撮像素子に対応したレンズ系が求められるようになってきた。フルハイビジョン方式の撮影が可能な固体撮像素子を搭載した監視カメラ用のレンズ系は、従来にも増して全変倍域に亘って諸収差を良好に補正できる極めて高い光学性能が求められる。
【０００８】
しかしながら、上記各特許文献に記載されたズームレンズをはじめとする従来技術では、大口径比化、小型化を満足した上で高い光学性能を維持することは困難であった。すなわち、広角化や大口径比化を実現しようとすると、小型化が阻害されたり、全変倍域に亘って諸収差を良好に補正することが困難になってフルハイビジョン方式の撮影ができなくなったりするという問題が発生する。
【０００９】
たとえば、従来技術では、画角を広くしようとすると、前玉径を大きくせざるを得なくなり、広角端におけるコマ収差および非点収差の補正が困難になる。さらに、変倍比や解像度を上げようとすると、レンズ系全長が増大するばかりか、望遠端における色収差の発生が顕著になって、光学性能が著しく劣化する。特に、大口径比化を実現しようとすると、広角端から望遠端までの像面湾曲の補正が困難になって、全変倍域に亘って光学性能を維持することができなくなる。
【００１０】
本発明は、上述した従来技術による問題点を解消するため、小型化、広角化、大口径比化を達成するとともに、全変倍域に亘って諸収差を良好に補正し、フルハイビジョン方式の撮影が可能な固体撮像素子に対応できる高倍率のズームレンズを提供することを目的とする。
【課題を解決するための手段】
【００１１】
上述した課題を解決し、目的を達成するため、本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、から構成され、前記第１レンズ群、前記第３レンズ群、および前記第５レンズ群を固定したまま、前記第２レンズ群を光軸に沿って物体側から像側へ移動させて広角端から望遠端への変倍を行い、前記第４レンズ群を光軸に沿って移動させることによって変倍に伴う像面変動の補正およびフォーカシングを行い、前記第２レンズ群は、物体側より順に配置された、負の屈折力を有し物体側に凸面を向けたメニスカス形状で少なくとも一面に非球面が形成された第１レンズと、負の屈折力を有する第２レンズと、正の屈折力を有する第３レンズと、負の屈折力を有する第４レンズと、を備え、前記第２レンズ群を構成する、前記第３レンズと前記第４レンズとが接合されており、以下に示す条件式を満足することを特徴とする。
（１）  １．５＜｜ｆ２１／ＦＷ｜＜２．５
（２）  ０．５＜｜ｒｐ／ｆ２１｜＜０．８
（３）  νｄ２３＜２０
ただし、ｆ２１は前記第２レンズ群を構成する第１レンズの焦点距離、ＦＷは広角端における光学系全系の焦点距離、ｒｐは前記第２レンズ群を構成する第１レンズの像側面の曲率半径、νｄ２３は前記第２レンズ群を構成する第３レンズのｄ線に対するアッベ数を示す。
【００１２】
本発明によれば、広角化、小型化、大口径比化を達成するとともに、全変倍域に亘って諸収差を良好に補正し、フルハイビジョン方式の撮影が可能な固体撮像素子に対応できる高倍率のズームレンズを提供することができる。特に、条件式（３）を満足することで、第２レンズ郡内で発生する色収差を良好に補正することができる。
【００１５】
さらに、本発明にかかるズームレンズは、前記発明において、前記第１レンズ群が、物体側より順に配置された、負の屈折力を有する第１レンズと、正の屈折力を有する第２レンズと、正の屈折力を有する第３レンズと、正の屈折力を有する第４レンズと、を備え、前記第１レンズ群を構成する、前記第１レンズと前記第２レンズとが接合されており、以下に示す条件式を満足することを特徴とする。
（４）  νｄ１２＞７５
（５）  νｄ１３＞６３
ただし、νｄ１２は前記第１レンズ群を構成する第２レンズのｄ線に対するアッベ数、νｄ１３は前記第１レンズ群を構成する第３レンズのｄ線に対するアッベ数を示す。
【００１６】
本発明によれば、特に望遠端において発生する色収差を良好に補正することができる。
【００１７】
さらに、本発明にかかるズームレンズは、前記発明において、前記第３レンズ群が、物体側より順に配置された、正の屈折力を有し少なくとも一面に非球面が形成された第１レンズと、負の屈折力を有し物体側に凸面を向けたメニスカス形状の第２レンズと、を備えていることを特徴とする。
【００１８】
本発明によれば、全変倍域において発生する球面収差やコマ収差を良好に補正することができる。
【発明の効果】
【００１９】
本発明によれば、小型化、広角化、大口径比化を達成するとともに、全変倍域に亘って諸収差を良好に補正し、フルハイビジョン方式の撮影が可能な固体撮像素子に対応できる高倍率のズームレンズを提供することができるという効果を奏する。
【図面の簡単な説明】
【００２０】
【図１】実施例１にかかるズームレンズの構成を示す光軸に沿う断面図である。
【図２】実施例１にかかるズームレンズのｄ線に対する諸収差図である。
【図３】実施例２にかかるズームレンズの構成を示す光軸に沿う断面図である。
【図４】実施例２にかかるズームレンズのｄ線に対する諸収差図である。
【図５】実施例３にかかるズームレンズの構成を示す光軸に沿う断面図である。
【図６】実施例３にかかるズームレンズのｄ線に対する諸収差図である。
【図７】実施例４にかかるズームレンズの構成を示す光軸に沿う断面図である。
【図８】実施例４にかかるズームレンズのｄ線に対する諸収差図である。
【発明を実施するための形態】
【００２１】
以下、本発明にかかるズームレンズの好適な実施の形態を詳細に説明する。
【００２２】
本発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、から構成される。そして、第２レンズ群を光軸に沿って移動させることによって、広角端から望遠端への変倍を行う。また、第４レンズ群を光軸に沿って移動させることによって変倍に伴う像面変動の補正やフォーカシングを行う。なお、第１レンズ群、第３レンズ群、および第５レンズ群は、常時固定されている（以上、基本構成）。
【００２３】
本発明は、フルハイビジョン方式の撮影が可能な固体撮像素子が搭載された小型の撮像装置に最適な、小型、広角、大口径比で、優れた光学性能を有する、高倍率のズームレンズを提供することを目的としている。そこで、かかる目的を達成するため、以下に示すような各種条件を設定している。
【００２４】
まず、本発明にかかるズームレンズでは、上記基本構成に加え、第２レンズ群を、物体側より順に配置された、負の屈折力を有し物体側に凸面を向けたメニスカス形状で少なくとも一面に非球面が形成された第１レンズと、負の屈折力を有する第２レンズと、正の屈折力を有する第３レンズと、負の屈折力を有する第４レンズと、を備えて構成する。第２レンズ群中の最も物体側に配置されている第１レンズに非球面を形成することで、広角化、大口径比化に伴って発生するコマ収差、非点収差、像面湾曲の補正が容易になる。加えて、色収差（軸上色収差、倍率色収差）を良好に補正するため、第２レンズ群を構成する、第３レンズと第４レンズとを接合する。
【００２５】
さらに、本発明にかかるズームレンズでは、小型化、広角化、高倍率化することに伴って発生しやすくなる諸収差を良好に補正するため、第２レンズ群を構成する第１レンズの焦点距離をｆ２１、広角端における光学系全系の焦点距離をＦＷ、第２レンズ群を構成する第１レンズの像側面の曲率半径をｒｐ、第２レンズ群を構成する第３レンズのｄ線に対するアッベ数をνｄ２３とするとき、次の条件式を満足することが好ましい。
（１）  １．５＜｜ｆ２１／ＦＷ｜＜２．５
（２）  ０．５＜｜ｒｐ／ｆ２１｜＜０．８
（３）  νｄ２３＜２０
【００２６】
条件式（１）は、第２レンズ群中最も物体側に配置される第１レンズの焦点距離ｆ２１と広角端における光学系全系の焦点距離ＦＷとの比の適切な範囲を規定する式である。条件式（１）においてその下限値を下回ると、第２レンズ群を構成する第１レンズの屈折力が強くなりすぎる。この場合は、光学系の小型化と広角化には有利であるが、諸収差の補正が困難になる。一方、条件式（１）においてその上限値を超えると、第２レンズ群を構成する第１レンズの屈折力が弱くなりすぎる。この場合は、諸収差の補正には有利であるが、光学系の小型化と広角化が困難になる。
【００２７】
なお、上記条件式（１）は、次に示す範囲を満足すると、より好ましい効果が期待できる。
（１ａ）  １．８＜｜ｆ２１／ＦＷ｜＜２．３
この条件式（１ａ）で規定する範囲を満足することにより、光学系の小型、広角化と諸収差の補正とをよりバランスよく両立させることが可能になる。
【００２８】
条件式（２）は曲率の大きい凹面を有する、第２レンズ群を構成する第１レンズの像側面の形状を規定する式である。条件式（２）を満足する範囲で当該第１レンズの像側面に曲率を与えることによって、当該第１レンズの像側面を入射瞳に対して同心円形状とすることが可能になり、諸収差の発生を抑制することができる。
【００２９】
条件式（２）においてその下限値を下回ると、第２レンズ群を構成する第１レンズの像側面の曲率半径が小さくなりすぎ、加工が困難になる。一方、条件式（２）においてその上限値を超えると、当該第１レンズの加工は容易になるが、入射瞳に対する同心性が崩れ、諸収差の補正が困難になる。
【００３１】
条件式（３）を満足することにより、第２レンズ群内の負の屈折力を有する第１レンズおよび第２レンズにより発生した色収差（軸上色収差および倍率色収差）に対し、正レンズである第３レンズによって当該負レンズとは逆方向の色収差を発生させることで、第２レンズ群全体として発生する色収差を補正することができる。条件式（３）においてその上限値を超えると、前記第３レンズにおいて補正に必要な色収差量を発生させることができなくなり、結果として第２レンズ群全体で発生する色収差が増大してしまう。
【００３２】
さらに、本発明にかかるズームレンズでは、第１レンズ群が、物体側より順に配置された、負の屈折力を有する第１レンズと、正の屈折力を有する第２レンズと、正の屈折力を有する第３レンズと、正の屈折力を有する第４レンズと、を備えて構成される。かかる構成において、光学系の望遠端において発生する色収差を良好に補正するため、第１レンズ群を構成する、第１レンズと第２レンズとを接合するとよい。加えて、第１レンズ群を構成する第２レンズのｄ線に対するアッベ数をνｄ１２、第１レンズ群を構成する第３レンズのｄ線に対するアッベ数をνｄ１３とするとき、次の条件式を満足することが好ましい。
（４）  νｄ１２＞７５
（５）  νｄ１３＞６３
【００３３】
条件式（４），（５）は光学系の望遠端において発生する色収差を良好に補正するため必須となる条件を示す式である。条件式（４）または条件式（５）のいずれか一方でもその下限値を下回れば、光学系の望遠端において発生する色収差を補正しきれない。
【００３４】
さらに、本発明にかかるズームレンズでは、第３レンズ群を、物体側より順に配置された、正の屈折力を有し少なくとも一面に非球面が形成された第１レンズと、負の屈折力を有し物体側に凸面を向けたメニスカス形状の第２レンズと、を備えて構成することが好ましい。このように第３レンズ群を構成することにより、全変倍域において発生する球面収差やコマ収差を良好に補正することができる。
【００３５】
以上説明したように、本発明にかかるズームレンズは、上記構成を備えることにより、小型化、広角化、大口径比化、高倍率化を達成するとともに、全変倍域に亘って諸収差を良好に補正し、フルハイビジョン方式の撮影が可能な固体撮像素子に対応できるようになる。特に、上記各条件式を満足することにより、小型化、広角化、大口径比化、高倍率化と高い光学性能の維持とを両立させることが可能になる。
【００３６】
以下、本発明にかかるズームレンズの実施例を図面に基づき詳細に説明する。なお、以下の実施例により本発明が限定されるものではない。
【実施例１】
【００３７】
図１は、実施例１にかかるズームレンズの構成を示す光軸に沿う断面図である。このズームレンズは、図示しない物体側から順に、正の屈折力を有する第１レンズ群Ｇ11と、負の屈折力を有する第２レンズ群Ｇ12と、正の屈折力を有する第３レンズ群Ｇ13と、正の屈折力を有する第４レンズ群Ｇ14と、負の屈折力を有する第５レンズ群Ｇ15と、が配置されて構成される。
【００３８】
第２レンズ群Ｇ12と第３レンズ群Ｇ13との間には、所定の口径を規定する開口絞りＳＴＰが配置されている。また、第５レンズ群Ｇ15と結像面ＩＭＧとの間には、カバーガラスＣＧが配置されている。カバーガラスＣＧは必要に応じて配置されるものであり、不要な場合は省略可能である。なお、結像面ＩＭＧには、ＣＣＤやＣＭＯＳ等の固体撮像素子の受光面が配置される。
【００３９】
第１レンズ群Ｇ11は、物体側から順に、負の屈折力を有する第１レンズＬ111と、正の屈折力を有する第２レンズＬ112と、正の屈折力を有する第３レンズＬ113と、正の屈折力を有する第４レンズＬ114と、が配置されて構成される。第１レンズＬ111と第２レンズＬ112とは、接合されている。
【００４０】
第２レンズ群Ｇ12は、物体側から順に、負の屈折力を有する第１レンズＬ121と、負の屈折力を有する第２レンズＬ122と、正の屈折力を有する第３レンズＬ123と、負の屈折力を有する第４レンズＬ124と、が配置されて構成される。第１レンズＬ121は、物体側に凸面を向けたメニスカスレンズで構成されており、両面に非球面が形成されている。また、第３レンズＬ123と第４レンズＬ124とは、接合されている。
【００４１】
第３レンズ群Ｇ13は、物体側から順に、正の屈折力を有する第１レンズＬ131と、負の屈折力を有する第２レンズＬ132と、が配置されて構成される。第１レンズＬ131の両面には、非球面が形成されている。また、第２レンズＬ132は、物体側に凸面を向けたメニスカスレンズで構成されている。
【００４２】
第４レンズ群Ｇ14は、物体側から順に、正の屈折力を有する第１レンズＬ141と、負の屈折力を有する第２レンズＬ142と、が配置されて構成される。第１レンズＬ141の物体側面には、非球面が形成されている。また、第１レンズＬ141と第２レンズＬ142とは、接合されている。
【００４３】
第５レンズ群Ｇ15は、物体側から順に、負の屈折力を有する第１レンズＬ151と、正の屈折力を有する第２レンズＬ152と、が配置されて構成される。第１レンズＬ151の両面には、非球面が形成されている。
【００４４】
このズームレンズは、第２レンズ群Ｇ12を光軸に沿って物体側から結像面ＩＭＧ側へ移動させることにより、広角端から望遠端への変倍を行う。また、第４レンズ群Ｇ14を光軸に沿って移動させることにより、変倍に伴う像面変動の補正やフォーカシングを行う。なお、第１レンズ群Ｇ11、第３レンズ群Ｇ13、および第５レンズ群Ｇ15は、常時固定されている。
【００４５】
以下、実施例１にかかるズームレンズに関する各種数値データを示す。
【００４６】
ズームレンズ全系の焦点距離＝4.3（ＦＷ：広角端）〜24.0（中間焦点位置）〜129.0（望遠端）
Ｆナンバー＝1.6（広角端）〜3.8（中間焦点位置）〜4.9（望遠端）
半画角（ω）＝38.03（広角端）〜7.10（中間焦点位置）〜1.32（望遠端）
【００４７】
（レンズデータ）
ｒ1＝155.252
ｄ1＝1.00    ｎｄ1＝1.84666    νｄ1＝23.78
ｒ2＝40.511
ｄ2＝5.75    ｎｄ2＝1.49700    νｄ2＝81.60
ｒ3＝-245.543
ｄ3＝0.10
ｒ4＝55.154
ｄ4＝3.20    ｎｄ3＝1.59282    νｄ3＝68.63
ｒ5＝382.377
ｄ5＝0.10
ｒ6＝31.841
ｄ6＝3.50    ｎｄ4＝1.83481    νｄ4＝42.72
ｒ7＝95.333
ｄ7＝D(7)（可変）
ｒ8＝73.450（非球面）
ｄ8＝0.70    ｎｄ5＝1.85135    νｄ5＝40.10
ｒ9＝6.869（非球面）
ｄ9＝3.52
ｒ10＝-11.337
ｄ10＝0.50    ｎｄ6＝1.88300    νｄ6＝40.80
ｒ11＝339.750
ｄ11＝0.10
ｒ12＝23.770
ｄ12＝2.00    ｎｄ7＝1.95906    νｄ7＝17.47
ｒ13＝-24.162
ｄ13＝0.50    ｎｄ8＝1.88300    νｄ8＝40.80
ｒ14＝104.181
ｄ14＝D(14)（可変）
ｒ15＝∞（開口絞り）
ｄ15＝0.50
ｒ16＝11.539（非球面）
ｄ16＝4.20    ｎｄ9＝1.61881    νｄ9＝63.85
ｒ17＝-30.000（非球面）
ｄ17＝0.10
ｒ18＝19.101
ｄ18＝0.80    ｎｄ10＝2.001    νｄ10＝29.13
ｒ19＝10.836
ｄ19＝D(19)（可変）
ｒ20＝12.791（非球面）
ｄ20＝4.20    ｎｄ11＝1.4971    νｄ11＝81.56
ｒ21＝-9.500
ｄ21＝0.60    ｎｄ12＝1.90366    νｄ12＝31.31
ｒ22＝-14.070
ｄ22＝D(22)（可変）
ｒ23＝28.595（非球面）
ｄ23＝0.50    ｎｄ13＝1.85135    νｄ13＝40.10
ｒ24＝5.300（非球面）
ｄ24＝0.30
ｒ25＝7.909
ｄ25＝2.26    ｎｄ14＝1.56732    νｄ14＝42.80
ｒ26＝-16.411
ｄ26＝1.00
ｒ27＝∞
ｄ27＝2.00    ｎｄ15＝1.51633    νｄ15＝64.14
ｒ28＝∞
ｄ28＝3.50
ｒ29＝∞（結像面）
【００４８】
円錐係数（ｋ）および非球面係数（Ａ，Ｂ，Ｃ，Ｄ）
（第８面）
ｋ＝0，
Ａ＝-4.57687×10-5，Ｂ＝6.79061×10-6，
Ｃ＝-2.31578×10-7，Ｄ＝2.42224×10-9
（第９面）
ｋ＝0.5967，
Ａ＝-3.17031×10-4，Ｂ＝-4.17155×10-6，
Ｃ＝5.67706×10-7，Ｄ＝-3.92278×10-8
（第１６面）
ｋ＝-0.1306，
Ａ＝-4.08183×10-5，Ｂ＝-1.15089×10-6，
Ｃ＝1.15662×10-8，Ｄ＝-6.70182×10-11
（第１７面）
ｋ＝-8.2910，
Ａ＝7.81968×10-5，Ｂ＝-1.89538×10-6，
Ｃ＝2.76889×10-8，Ｄ＝-1.55839×10-10
（第２０面）
ｋ＝-0.1487，
Ａ＝-4.90625×10-5，Ｂ＝-1.02186×10-6，
Ｃ＝5.04342×10-10，Ｄ＝4.85594×10-10
（第２３面）
ｋ＝0，
Ａ＝-4.98290×10-4，Ｂ＝-1.45444×10-5，
Ｃ＝3.32964×10-6，Ｄ＝-1.57350×10-7
（第２４面）
ｋ＝-0.1993，
Ａ＝-4.77089×10-4，Ｂ＝-3.50309×10-5，
Ｃ＝3.89261×10-6，Ｄ＝-2.07190×10-7
【００４９】
（変倍データ）
広角端    中間焦点位置    望遠端
D(7)         0.719       19.460        27.823
D(14)       28.930       10.189         1.825
D(19)       10.283        4.604        14.356
D(22)        4.687       10.366         0.614
【００５０】
（条件式（１）に関する数値）
ｆ２１（第１レンズＬ121の焦点距離）＝-8.944
｜ｆ２１／ＦＷ｜＝2.08
【００５１】
（条件式（２）に関する数値）
ｒｐ（第１レンズＬ121の像側面の曲率半径）＝6.869
｜ｒｐ／ｆ２１｜＝0.768
【００５２】
（条件式（３）に関する数値）
νｄ２３（第３レンズＬ123のｄ線に対するアッベ数）＝17.47
【００５３】
（条件式（４）に関する数値）
νｄ１２（第２レンズＬ112のｄ線に対するアッベ数）＝81.60
【００５４】
（条件式（５）に関する数値）
νｄ１３（第３レンズＬ113のｄ線に対するアッベ数）＝68.63
【００５５】
図２は、実施例１にかかるズームレンズのｄ線（λ＝５８７．５６ｎｍ）に対する諸収差図である。なお、非点収差図におけるＳ，Ｍは、それぞれサジタル像面、メリディオナル像面に対する収差を表す。
【実施例２】
【００５６】
図３は、実施例２にかかるズームレンズの構成を示す光軸に沿う断面図である。このズームレンズは、図示しない物体側から順に、正の屈折力を有する第１レンズ群Ｇ21と、負の屈折力を有する第２レンズ群Ｇ22と、正の屈折力を有する第３レンズ群Ｇ23と、正の屈折力を有する第４レンズ群Ｇ24と、負の屈折力を有する第５レンズ群Ｇ25と、が配置されて構成される。
【００５７】
第２レンズ群Ｇ22と第３レンズ群Ｇ23との間には、所定の口径を規定する開口絞りＳＴＰが配置されている。また、第５レンズ群Ｇ25と結像面ＩＭＧとの間には、カバーガラスＣＧが配置されている。カバーガラスＣＧは必要に応じて配置されるものであり、不要な場合は省略可能である。なお、結像面ＩＭＧには、ＣＣＤやＣＭＯＳ等の固体撮像素子の受光面が配置される。
【００５８】
第１レンズ群Ｇ21は、物体側から順に、負の屈折力を有する第１レンズＬ211と、正の屈折力を有する第２レンズＬ212と、正の屈折力を有する第３レンズＬ213と、正の屈折力を有する第４レンズＬ214と、が配置されて構成される。第１レンズＬ211と第２レンズＬ212とは、接合されている。
【００５９】
第２レンズ群Ｇ22は、物体側から順に、負の屈折力を有する第１レンズＬ221と、負の屈折力を有する第２レンズＬ222と、正の屈折力を有する第３レンズＬ223と、負の屈折力を有する第４レンズＬ224と、が配置されて構成される。第１レンズＬ221は、物体側に凸面を向けたメニスカスレンズで構成されており、両面に非球面が形成されている。また、第３レンズＬ223と第４レンズＬ224とは、接合されている。
【００６０】
第３レンズ群Ｇ23は、物体側から順に、正の屈折力を有する第１レンズＬ231と、負の屈折力を有する第２レンズＬ232と、が配置されて構成される。第１レンズＬ231の両面には、非球面が形成されている。また、第２レンズＬ232は、物体側に凸面を向けたメニスカスレンズで構成されている。
【００６１】
第４レンズ群Ｇ24は、物体側から順に、正の屈折力を有する第１レンズＬ241と、負の屈折力を有する第２レンズＬ242と、が配置されて構成される。第１レンズＬ241の物体側面には、非球面が形成されている。また、第１レンズＬ241と第２レンズＬ242とは、接合されている。
【００６２】
第５レンズ群Ｇ25は、物体側から順に、負の屈折力を有する第１レンズＬ251と、正の屈折力を有する第２レンズＬ252と、が配置されて構成される。第１レンズＬ251の両面には、非球面が形成されている。
【００６３】
このズームレンズは、第２レンズ群Ｇ22を光軸に沿って物体側から結像面ＩＭＧ側へ移動させることにより、広角端から望遠端への変倍を行う。また、第４レンズ群Ｇ24を光軸に沿って移動させることにより、変倍に伴う像面変動の補正やフォーカシングを行う。なお、第１レンズ群Ｇ21、第３レンズ群Ｇ23、および第５レンズ群Ｇ25は、常時固定されている。
【００６４】
以下、実施例２にかかるズームレンズに関する各種数値データを示す。
【００６５】
ズームレンズ全系の焦点距離＝4.3（ＦＷ：広角端）〜24.0（中間焦点位置）〜129.0（望遠端）
Ｆナンバー＝1.6（広角端）〜3.8（中間焦点位置）〜4.9（望遠端）
半画角（ω）＝38.09（広角端）〜7.07（中間焦点位置）〜1.32（望遠端）
【００６６】
（レンズデータ）
ｒ1＝261.122
ｄ1＝1.00    ｎｄ1＝1.84666    νｄ1＝23.78
ｒ2＝41.992
ｄ2＝6.00    ｎｄ2＝1.43700    νｄ2＝95.10
ｒ3＝-142.792
ｄ3＝0.10
ｒ4＝57.592
ｄ4＝3.34    ｎｄ3＝1.61800    νｄ3＝63.39
ｒ5＝1461.086
ｄ5＝0.10
ｒ6＝31.613
ｄ6＝3.50    ｎｄ4＝1.88300    νｄ4＝40.80
ｒ7＝91.274
ｄ7＝D(7)（可変）
ｒ8＝17.271（非球面）
ｄ8＝0.70    ｎｄ5＝1.85135    νｄ5＝40.10
ｒ9＝5.629（非球面）
ｄ9＝3.82
ｒ10＝-11.166
ｄ10＝0.50    ｎｄ6＝1.88300    νｄ6＝40.80
ｒ11＝67.816
ｄ11＝0.10
ｒ12＝19.434
ｄ12＝2.06    ｎｄ7＝1.95906    νｄ7＝17.47
ｒ13＝-27.282
ｄ13＝0.50    ｎｄ8＝1.88300    νｄ8＝40.80
ｒ14＝63.676
ｄ14＝D(14)（可変）
ｒ15＝∞（開口絞り）
ｄ15＝0.50
ｒ16＝11.267（非球面）
ｄ16＝4.40    ｎｄ9＝1.61881    νｄ9＝63.85
ｒ17＝-25.469（非球面）
ｄ17＝0.10
ｒ18＝21.986
ｄ18＝0.60    ｎｄ10＝2.001    νｄ10＝29.13
ｒ19＝11.300
ｄ19＝D(19)（可変）
ｒ20＝13.021（非球面）
ｄ20＝4.18    ｎｄ11＝1.4971    νｄ11＝81.56
ｒ21＝-10.019
ｄ21＝0.60    ｎｄ12＝1.90366    νｄ12＝31.31
ｒ22＝-13.773
ｄ22＝D(22)（可変）
ｒ23＝24.019（非球面）
ｄ23＝0.50    ｎｄ13＝1.85135    νｄ13＝40.10
ｒ24＝5.699（非球面）
ｄ24＝0.54
ｒ25＝16.318
ｄ25＝2.11    ｎｄ14＝1.51633    νｄ14＝64.14
ｒ26＝-10.039
ｄ26＝1.00
ｒ27＝∞
ｄ27＝2.00    ｎｄ15＝1.51633    νｄ15＝64.14
ｒ28＝∞
ｄ28＝3.50
ｒ29＝∞（結像面）
【００６７】
円錐係数（ｋ）および非球面係数（Ａ，Ｂ，Ｃ，Ｄ）
（第８面）
ｋ＝0，
Ａ＝-6.21082×10-4，Ｂ＝1.34413×10-5，
Ｃ＝-1.99187×10-7，Ｄ＝1.35410×10-9
（第９面）
ｋ＝-0.0060，
Ａ＝-7.63715×10-4，Ｂ＝-1.36437×10-5，
Ｃ＝7.63607×10-7，Ｄ＝-2.94908×10-8
（第１６面）
ｋ＝-0.2311，
Ａ＝-6.05478×10-5，Ｂ＝-1.25340×10-6，
Ｃ＝1.67144×10-8，Ｄ＝-8.95523×10-11
（第１７面）
ｋ＝-4.7687，
Ａ＝6.98644×10-5，Ｂ＝-1.72352×10-6，
Ｃ＝2.91064×10-8，Ｄ＝-1.70266×10-10
（第２０面）
ｋ＝-0.4887，
Ａ＝-7.75303×10-5，Ｂ＝-4.64307×10-7，
Ｃ＝-4.68979×10-11，Ｄ＝2.32383×10-10
（第２３面）
ｋ＝0，
Ａ＝-6.68416×10-4，Ｂ＝-3.85322×10-5，
Ｃ＝7.43212×10-7，Ｄ＝6.05435×10-8
（第２４面）
ｋ＝-0.2788，
Ａ＝-4.36169×10-4，Ｂ＝-7.39966×10-5，
Ｃ＝1.04310×10-6，Ｄ＝8.94196×10-8
【００６８】
（変倍データ）
広角端    中間焦点位置    望遠端
D(7)         0.600       19.459        27.778
D(14)       29.021       10.161         1.843
D(19)        9.668        4.480        13.573
D(22)        4.508        9.697         0.604
【００６９】
（条件式（１）に関する数値）
ｆ２１（第１レンズＬ221の焦点距離）＝-10.088
｜ｆ２１／ＦＷ｜＝2.346
【００７０】
（条件式（２）に関する数値）
ｒｐ（第１レンズＬ221の像側面の曲率半径）＝5.629
｜ｒｐ／ｆ２１｜＝0.558
【００７１】
（条件式（３）に関する数値）
νｄ２３（第３レンズＬ223のｄ線に対するアッベ数）＝17.47
【００７２】
（条件式（４）に関する数値）
νｄ１２（第２レンズＬ212のｄ線に対するアッベ数）＝95.10
【００７３】
（条件式（５）に関する数値）
νｄ１３（第３レンズＬ213のｄ線に対するアッベ数）＝63.39
【００７４】
図４は、実施例２にかかるズームレンズのｄ線（λ＝５８７．５６ｎｍ）に対する諸収差図である。なお、非点収差図におけるＳ，Ｍは、それぞれサジタル像面、メリディオナル像面に対する収差を表す。
【実施例３】
【００７５】
図５は、実施例３にかかるズームレンズの構成を示す光軸に沿う断面図である。このズームレンズは、図示しない物体側から順に、正の屈折力を有する第１レンズ群Ｇ31と、負の屈折力を有する第２レンズ群Ｇ32と、正の屈折力を有する第３レンズ群Ｇ33と、正の屈折力を有する第４レンズ群Ｇ34と、負の屈折力を有する第５レンズ群Ｇ35と、が配置されて構成される。
【００７６】
第２レンズ群Ｇ32と第３レンズ群Ｇ33との間には、所定の口径を規定する開口絞りＳＴＰが配置されている。また、第５レンズ群Ｇ35と結像面ＩＭＧとの間には、カバーガラスＣＧが配置されている。カバーガラスＣＧは必要に応じて配置されるものであり、不要な場合は省略可能である。なお、結像面ＩＭＧには、ＣＣＤやＣＭＯＳ等の固体撮像素子の受光面が配置される。
【００７７】
第１レンズ群Ｇ31は、物体側から順に、負の屈折力を有する第１レンズＬ311と、正の屈折力を有する第２レンズＬ312と、正の屈折力を有する第３レンズＬ313と、正の屈折力を有する第４レンズＬ314と、が配置されて構成される。第１レンズＬ311と第２レンズＬ312とは、接合されている。
【００７８】
第２レンズ群Ｇ32は、物体側から順に、負の屈折力を有する第１レンズＬ321と、負の屈折力を有する第２レンズＬ322と、正の屈折力を有する第３レンズＬ323と、負の屈折力を有する第４レンズＬ324と、が配置されて構成される。第１レンズＬ321は、物体側に凸面を向けたメニスカスレンズで構成されており、両面に非球面が形成されている。また、第３レンズＬ323と第４レンズＬ324とは、接合されている。
【００７９】
第３レンズ群Ｇ33は、物体側から順に、正の屈折力を有する第１レンズＬ331と、負の屈折力を有する第２レンズＬ332と、が配置されて構成される。第１レンズＬ331の両面には、非球面が形成されている。また、第２レンズＬ332は、物体側に凸面を向けたメニスカスレンズで構成されている。
【００８０】
第４レンズ群Ｇ34は、物体側から順に、正の屈折力を有する第１レンズＬ341と、負の屈折力を有する第２レンズＬ342と、が配置されて構成される。第１レンズＬ341の物体側面には、非球面が形成されている。また、第１レンズＬ341と第２レンズＬ342とは、接合されている。
【００８１】
第５レンズ群Ｇ35は、物体側から順に、負の屈折力を有する第１レンズＬ351と、正の屈折力を有する第２レンズＬ352と、が配置されて構成される。第１レンズＬ351の両面には、非球面が形成されている。
【００８２】
このズームレンズは、第２レンズ群Ｇ32を光軸に沿って物体側から結像面ＩＭＧ側へ移動させることにより、広角端から望遠端への変倍を行う。また、第４レンズ群Ｇ34を光軸に沿って移動させることにより、変倍に伴う像面変動の補正やフォーカシングを行う。なお、第１レンズ群Ｇ31、第３レンズ群Ｇ33、および第５レンズ群Ｇ35は、常時固定されている。
【００８３】
以下、実施例３にかかるズームレンズに関する各種数値データを示す。
【００８４】
ズームレンズ全系の焦点距離＝4.3（ＦＷ：広角端）〜24.0（中間焦点位置）〜129.0（望遠端）
Ｆナンバー＝1.6（広角端）〜3.8（中間焦点位置）〜4.9（望遠端）
半画角（ω）＝37.93（広角端）〜7.09（中間焦点位置）〜1.32（望遠端）
【００８５】
（レンズデータ）
ｒ1＝143.132
ｄ1＝1.00    ｎｄ1＝1.84666    νｄ1＝23.78
ｒ2＝40.225
ｄ2＝5.80    ｎｄ2＝1.43700    νｄ2＝95.10
ｒ3＝-220.562
ｄ3＝0.10
ｒ4＝57.824
ｄ4＝3.28    ｎｄ3＝1.59282    νｄ3＝68.63
ｒ5＝575.311
ｄ5＝0.10
ｒ6＝32.258
ｄ6＝3.68    ｎｄ4＝1.83481    νｄ4＝42.72
ｒ7＝106.337
ｄ7＝D(7)（可変）
ｒ8＝53.938（非球面）
ｄ8＝0.70    ｎｄ5＝1.85135    νｄ5＝40.10
ｒ9＝6.852（非球面）
ｄ9＝3.63
ｒ10＝-10.409
ｄ10＝0.50    ｎｄ6＝1.88300    νｄ6＝40.80
ｒ11＝-119.311
ｄ11＝0.10
ｒ12＝32.375
ｄ12＝1.99    ｎｄ7＝1.95906    νｄ7＝17.47
ｒ13＝-18.558
ｄ13＝0.50    ｎｄ8＝1.88300    νｄ8＝40.80
ｒ14＝246.052
ｄ14＝D(14)（可変）
ｒ15＝∞（開口絞り）
ｄ15＝0.50
ｒ16＝11.250（非球面）
ｄ16＝4.50    ｎｄ9＝1.61881    νｄ9＝63.85
ｒ17＝-25.151（非球面）
ｄ17＝0.14
ｒ18＝25.680
ｄ18＝0.70    ｎｄ10＝2.001    νｄ10＝29.13
ｒ19＝12.179
ｄ19＝D(19)（可変）
ｒ20＝12.463（非球面）
ｄ20＝4.21    ｎｄ11＝1.4971    νｄ11＝81.56
ｒ21＝-10.285
ｄ21＝0.60    ｎｄ12＝1.90366    νｄ12＝31.31
ｒ22＝-14.345
ｄ22＝D(22)（可変）
ｒ23＝34.622（非球面）
ｄ23＝0.50    ｎｄ13＝1.85135    νｄ13＝40.10
ｒ24＝4.280（非球面）
ｄ24＝0.11
ｒ25＝5.105
ｄ25＝2.54    ｎｄ14＝1.54814    νｄ14＝45.82
ｒ26＝-18.427
ｄ26＝1.00
ｒ27＝∞
ｄ27＝2.00    ｎｄ15＝1.51633    νｄ15＝64.14
ｒ28＝∞
ｄ28＝3.50
ｒ29＝∞（結像面）
【００８６】
円錐係数（ｋ）および非球面係数（Ａ，Ｂ，Ｃ，Ｄ）
（第８面）
ｋ＝0，
Ａ＝-1.10104×10-4，Ｂ＝6.86574×10-6，
Ｃ＝-1.80314×10-7，Ｄ＝1.77529×10-9
（第９面）
ｋ＝0.5559，
Ａ＝-3.93632×10-4，Ｂ＝-6.30197×10-6，
Ｃ＝4.84720×10-7，Ｄ＝-2.99161×10-8
（第１６面）
ｋ＝-0.1935，
Ａ＝-5.34967×10-5，Ｂ＝-1.15951×10-6，
Ｃ＝1.21900×10-8，Ｄ＝-9.39982×10-11
（第１７面）
ｋ＝-6.7682，
Ａ＝7.38246×10-5，Ｂ＝-1.90295×10-6，
Ｃ＝2.73786×10-8，Ｄ＝-1.67159×10-10
（第２０面）
ｋ＝-0.4009，
Ａ＝-6.89337×10-5，Ｂ＝-1.52572×10-6，
Ｃ＝1.76743×10-8，Ｄ＝1.60421×10-10
（第２３面）
ｋ＝0，
Ａ＝-4.81453×10-4，Ｂ＝-1.75639×10-5，
Ｃ＝1.83475×10-6，Ｄ＝-9.28491×10-8
（第２４面）
ｋ＝-0.2457，
Ａ＝-4.55109×10-4，Ｂ＝-5.44365×10-5，
Ｃ＝3.09526×10-6，Ｄ＝-2.17589×10-7
【００８７】
（変倍データ）
広角端    中間焦点位置    望遠端
D(7)         0.600       19.976        28.485
D(14)       29.696       10.320         1.811
D(19)        9.466        4.418        12.865
D(22)        4.116        9.164         0.717
【００８８】
（条件式（１）に関する数値）
ｆ２１（第１レンズＬ321の焦点距離）＝-9.283
｜ｆ２１／ＦＷ｜＝2.159
【００８９】
（条件式（２）に関する数値）
ｒｐ（第１レンズＬ321の像側面の曲率半径）＝6.852
｜ｒｐ／ｆ２１｜＝0.738
【００９０】
（条件式（３）に関する数値）
νｄ２３（第３レンズＬ323のｄ線に対するアッベ数）＝17.47
【００９１】
（条件式（４）に関する数値）
νｄ１２（第２レンズＬ312のｄ線に対するアッベ数）＝95.10
【００９２】
（条件式（５）に関する数値）
νｄ１３（第３レンズＬ313のｄ線に対するアッベ数）＝68.63
【００９３】
図６は、実施例３にかかるズームレンズのｄ線（λ＝５８７．５６ｎｍ）に対する諸収差図である。なお、非点収差図におけるＳ，Ｍは、それぞれサジタル像面、メリディオナル像面に対する収差を表す。
【実施例４】
【００９４】
図７は、実施例４にかかるズームレンズの構成を示す光軸に沿う断面図である。このズームレンズは、図示しない物体側から順に、正の屈折力を有する第１レンズ群Ｇ41と、負の屈折力を有する第２レンズ群Ｇ42と、正の屈折力を有する第３レンズ群Ｇ43と、正の屈折力を有する第４レンズ群Ｇ44と、負の屈折力を有する第５レンズ群Ｇ45と、が配置されて構成される。
【００９５】
第２レンズ群Ｇ42と第３レンズ群Ｇ43との間には、所定の口径を規定する開口絞りＳＴＰが配置されている。また、第５レンズ群Ｇ45と結像面ＩＭＧとの間には、カバーガラスＣＧが配置されている。カバーガラスＣＧは必要に応じて配置されるものであり、不要な場合は省略可能である。なお、結像面ＩＭＧには、ＣＣＤやＣＭＯＳ等の固体撮像素子の受光面が配置される。
【００９６】
第１レンズ群Ｇ41は、物体側から順に、負の屈折力を有する第１レンズＬ411と、正の屈折力を有する第２レンズＬ412と、正の屈折力を有する第３レンズＬ413と、正の屈折力を有する第４レンズＬ414と、が配置されて構成される。第１レンズＬ411と第２レンズＬ412とは、接合されている。
【００９７】
第２レンズ群Ｇ42は、物体側から順に、負の屈折力を有する第１レンズＬ421と、負の屈折力を有する第２レンズＬ422と、正の屈折力を有する第３レンズＬ423と、負の屈折力を有する第４レンズＬ424と、が配置されて構成される。第１レンズＬ421は、物体側に凸面を向けたメニスカスレンズで構成されており、両面に非球面が形成されている。また、第３レンズＬ423と第４レンズＬ424とは、接合されている。
【００９８】
第３レンズ群Ｇ43は、物体側から順に、正の屈折力を有する第１レンズＬ431と、負の屈折力を有する第２レンズＬ432と、が配置されて構成される。第１レンズＬ431の両面には、非球面が形成されている。また、第２レンズＬ432は、物体側に凸面を向けたメニスカスレンズで構成されている。
【００９９】
第４レンズ群Ｇ44は、物体側から順に、正の屈折力を有する第１レンズＬ441と、負の屈折力を有する第２レンズＬ442と、が配置されて構成される。第１レンズＬ441の物体側面には、非球面が形成されている。また、第１レンズＬ441と第２レンズＬ442とは、接合されている。
【０１００】
第５レンズ群Ｇ45は、物体側から順に、負の屈折力を有する第１レンズＬ451と、正の屈折力を有する第２レンズＬ452と、が配置されて構成される。第１レンズＬ451の両面には、非球面が形成されている。
【０１０１】
このズームレンズは、第２レンズ群Ｇ42を光軸に沿って物体側から結像面ＩＭＧ側へ移動させることにより、広角端から望遠端への変倍を行う。また、第４レンズ群Ｇ44を光軸に沿って移動させることにより、変倍に伴う像面変動の補正やフォーカシングを行う。なお、第１レンズ群Ｇ41、第３レンズ群Ｇ43、および第５レンズ群Ｇ45は、常時固定されている。
【０１０２】
以下、実施例４にかかるズームレンズに関する各種数値データを示す。
【０１０３】
ズームレンズ全系の焦点距離＝4.3（ＦＷ：広角端）〜24.0（中間焦点位置）〜129.0（望遠端）
Ｆナンバー＝1.6（広角端）〜3.8（中間焦点位置）〜4.9（望遠端）
半画角（ω）＝38.01（広角端）〜7.10（中間焦点位置）〜1.32（望遠端）
【０１０４】
（レンズデータ）
ｒ1＝144.159
ｄ1＝1.00    ｎｄ1＝1.84666    νｄ1＝23.78
ｒ2＝38.899
ｄ2＝5.80    ｎｄ2＝1.49700    νｄ2＝81.60
ｒ3＝-273.198
ｄ3＝0.10
ｒ4＝52.998
ｄ4＝3.31    ｎｄ3＝1.59282    νｄ3＝68.63
ｒ5＝378.875
ｄ5＝0.10
ｒ6＝31.113
ｄ6＝3.57    ｎｄ4＝1.83481    νｄ4＝42.72
ｒ7＝92.838
ｄ7＝D(7)（可変）
ｒ8＝76.499（非球面）
ｄ8＝0.70    ｎｄ5＝1.85135    νｄ5＝40.10
ｒ9＝6.041（非球面）
ｄ9＝3.30
ｒ10＝-12.953
ｄ10＝0.50    ｎｄ6＝1.88300    νｄ6＝40.80
ｒ11＝71.416
ｄ11＝0.10
ｒ12＝18.115
ｄ12＝1.99    ｎｄ7＝1.94594    νｄ7＝17.98
ｒ13＝-26.555
ｄ13＝0.50    ｎｄ8＝1.88300    νｄ8＝40.80
ｒ14＝95.601
ｄ14＝D(14)（可変）
ｒ15＝∞（開口絞り）
ｄ15＝0.50
ｒ16＝11.217（非球面）
ｄ16＝4.40    ｎｄ9＝1.61881    νｄ9＝63.85
ｒ17＝-25.000（非球面）
ｄ17＝0.96
ｒ18＝22.880
ｄ18＝0.60    ｎｄ10＝2.001    νｄ10＝29.13
ｒ19＝10.741
ｄ19＝D(19)（可変）
ｒ20＝11.970（非球面）
ｄ20＝4.20    ｎｄ11＝1.4971    νｄ11＝81.56
ｒ21＝-9.300
ｄ21＝0.60    ｎｄ12＝1.90366    νｄ12＝31.31
ｒ22＝-13.445
ｄ22＝D(22)（可変）
ｒ23＝41.730（非球面）
ｄ23＝0.50    ｎｄ13＝1.85135    νｄ13＝40.10
ｒ24＝6.749（非球面）
ｄ24＝0.49
ｒ25＝17.244
ｄ25＝2.13    ｎｄ14＝1.56732    νｄ14＝42.80
ｒ26＝-10.867
ｄ26＝1.00
ｒ27＝∞
ｄ27＝2.00    ｎｄ15＝1.51633    νｄ15＝64.14
ｒ28＝∞
ｄ28＝3.50
ｒ29＝∞（結像面）
【０１０５】
円錐係数（ｋ）および非球面係数（Ａ，Ｂ，Ｃ，Ｄ）
（第８面）
ｋ＝0，
Ａ＝-2.65503×10-4，Ｂ＝1.28344×10-5，
Ｃ＝-3.59136×10-7，Ｄ＝3.83400×10-9
（第９面）
ｋ＝0.3239，
Ａ＝-5.45623×10-4，Ｂ＝-7.61065×10-6，
Ｃ＝7.83466×10-7，Ｄ＝-5.46724×10-8
（第１６面）
ｋ＝-0.1982，
Ａ＝-5.20814×10-5，Ｂ＝-1.30668×10-6，
Ｃ＝1.67967×10-8，Ｄ＝-1.13589×10-10
（第１７面）
ｋ＝-6.0844，
Ａ＝7.14760×10-5，Ｂ＝-1.84345×10-6，
Ｃ＝2.96044×10-8，Ｄ＝-1.85685×10-10
（第２０面）
ｋ＝-0.2645，
Ａ＝-5.95055×10-5，Ｂ＝-1.16644×10-6，
Ｃ＝7.95351×10-9，Ｄ＝3.24336×10-10
（第２３面）
ｋ＝0，
Ａ＝-3.71965×10-4，Ｂ＝-2.63704×10-5，
Ｃ＝2.26085×10-6，Ｄ＝-6.30326×10-8
（第２４面）
ｋ＝0.0775，
Ａ＝-2.57754×10-4，Ｂ＝-3.45586×10-5，
Ｃ＝9.86053×10-7，Ｄ＝3.54356×10-10
【０１０６】
（変倍データ）
広角端    中間焦点位置    望遠端
D(7)         0.897       19.167        27.163
D(14)       28.094        9.824         1.828
D(19)       10.148        4.496        14.112
D(22)        4.564       10.216         0.600
【０１０７】
（条件式（１）に関する数値）
ｆ２１（第１レンズＬ421の焦点距離）＝-7.740
｜ｆ２１／ＦＷ｜＝1.8
【０１０８】
（条件式（２）に関する数値）
ｒｐ（第１レンズＬ421の像側面の曲率半径）＝6.041
｜ｒｐ／ｆ２１｜＝0.781
【０１０９】
（条件式（３）に関する数値）
νｄ２３（第３レンズＬ423のｄ線に対するアッベ数）＝17.98
【０１１０】
（条件式（４）に関する数値）
νｄ１２（第２レンズＬ412のｄ線に対するアッベ数）＝81.60
【０１１１】
（条件式（５）に関する数値）
νｄ１３（第３レンズＬ413のｄ線に対するアッベ数）＝68.63
【０１１２】
図８は、実施例４にかかるズームレンズのｄ線（λ＝５８７．５６ｎｍ）に対する諸収差図である。なお、非点収差図におけるＳ，Ｍは、それぞれサジタル像面、メリディオナル像面に対する収差を表す。
【０１１３】
なお、上記各実施例中の数値データにおいて、ｒ1，ｒ2，・・・・は各レンズ、絞り面等の曲率半径、ｄ1，ｄ2，・・・・は各レンズ、絞り等の肉厚またはそれらの面間隔、ｎｄ1，ｎｄ2，・・・・は各レンズ等のｄ線（λ＝５８７．５６ｎｍ）に対する屈折率、νｄ1，νｄ2，・・・・は各レンズ等のｄ線（λ＝５８７．５６ｎｍ）に対するアッベ数を示している。そして、長さの単位はすべて「ｍｍ」、角度の単位はすべて「°」である。
【０１１４】
また、上記各非球面形状は、非球面の深さをＺ、近軸曲率半径をＲ、光軸からの高さをｈとし、光の進行方向を正とするとき、以下に示す式により表される。
【０１１５】
【数１】
0005893959.tif 000002
【０１１６】
ただし、ｋは円錐係数、Ａ，Ｂ，Ｃ，Ｄはそれぞれ４次，６次，８次，１０次の非球面係数である。
【０１１７】
以上説明したように、上記各実施例のズームレンズは、適宜非球面が形成されたレンズや接合レンズを配置し、上記各条件式を満足することにより、７５°以上の広角化と、Ｆナンバーが１．６程度の大口径比化を達成し、フルハイビジョン方式の撮影が可能な固体撮像素子が搭載された小型の撮像装置に最適な、優れた光学性能を有する小型、高倍率（３０倍程度）の撮影レンズを実現することができる。
【産業上の利用可能性】
【０１１８】
以上のように、本発明にかかるズームレンズは、デジタルスチルカメラや、デジタルビデオカメラ等の固体撮像素子が搭載された小型の撮像装置に有用であり、特に、フルハイビジョン方式の撮影が可能な固体撮像素子が搭載された監視カメラに最適である。
【符号の説明】
【０１１９】
Ｇ11，Ｇ21，Ｇ31，Ｇ41  第１レンズ群
Ｇ12，Ｇ22，Ｇ32，Ｇ42  第２レンズ群
Ｇ13，Ｇ23，Ｇ33，Ｇ43  第３レンズ群
Ｇ14，Ｇ24，Ｇ34，Ｇ44  第４レンズ群
Ｇ15，Ｇ25，Ｇ35，Ｇ45  第５レンズ群
Ｌ111，Ｌ121，Ｌ131，Ｌ141，Ｌ151，Ｌ211，Ｌ221，Ｌ231，Ｌ241，Ｌ251，Ｌ311，Ｌ321，Ｌ331，Ｌ341，Ｌ351，Ｌ411，Ｌ421，Ｌ431，Ｌ441，Ｌ451  第１レンズ
Ｌ112，Ｌ122，Ｌ132，Ｌ142，Ｌ152，Ｌ212，Ｌ222，Ｌ232，Ｌ242，Ｌ252，Ｌ312，Ｌ322，Ｌ332，Ｌ342，Ｌ352，Ｌ412，Ｌ422，Ｌ432，Ｌ442，Ｌ452  第２レンズ
Ｌ113，Ｌ123，Ｌ213，Ｌ223，Ｌ313，Ｌ323，Ｌ413，Ｌ423  第３レンズ
Ｌ114，Ｌ124，Ｌ214，Ｌ224，Ｌ314，Ｌ324，Ｌ414，Ｌ424  第４レンズ
ＳＴＰ  開口絞り
ＩＭＧ  結像面
【図１】
0005893959.tif 000003
【図２】
0005893959.tif 000004
【図３】
0005893959.tif 000005
【図４】
0005893959.tif 000006
【図５】
0005893959.tif 000007
【図６】
0005893959.tif 000008
【図７】
0005893959.tif 000009
【図８】
0005893959.tif 000010